(57)【要約】【課題】ブラックホールの中の電磁気が引き込まれる軌道より小さい軌道の、Aと電子のラブのエネルギーと電子のラブの公転軌道と自転軌道と1秒間に作る磁気の光子のエネルギー（＝電気の光子のエネルギー）と軌道エネルギーはいくらか。ビッグバンの痕に宇宙の中心のブラックホールができた事を理解する。ブラックホールはどのようであるか。【解決手段】軌道エネルギー＝5.438×1018＋2n/3JKm÷軌道＝9×1016J、の式より光速の軌道を求める。そして、その軌道より小さい軌道について、Aと電子のラブのエネルギーと電子のラブの公転軌道と自転軌道と1秒間に作る磁気の光子のエネルギー（＝電気の光子のエネルギー）と軌道エネルギーを求める。ビッグバンの点のAと宇宙の中心のブラックホールの中心のAを比較する。“ブラックホールの全質量が集まる中央の球体”の半径と“ブラックホールの中心の場の軌道”と“ブラックホールの光速の球体”を理解する。【選択図】図３
2020005400.tif 000002
【特許請求の範囲】
【請求項１】
ブラックホールの中の電磁気が引き込まれる軌道より小さい軌道の、Aと電子のラブのエネルギーと電子のラブの公転軌道と自転軌道と1秒間に作る磁気の光子のエネルギー（＝電気の光子のエネルギー）と軌道エネルギーはいくらか。
ブラックホールの電磁気を引きこむ場のAは3×108です。この場の電子のラブのエネルギーは地表の電子のラブの3×108倍です。
電子のラブのエネルギー＝地表の電子のラブのエネルギー×A＝8.187×10-14J×A
電子のラブの公転軌道＝地表の電子のラブの公転軌道÷A＝1.058×10-10m÷A
電子のラブの自転軌道＝地表の電子のラブの自転軌道÷A＝4.175×10-18m÷A
1秒間に作る磁気の光子のエネルギー（＝電気の光子のエネルギー）＝7.815×10-26Jm÷公転軌道
軌道エネルギー＝5.438×1018＋2n/3JKm÷軌道
○109太陽質量のブラックホールの場合。
109太陽質量のブラックホールの軌道エネルギー＝5.438×1018＋2n/3JKm÷軌道＝5.438×1024JKm÷軌道
109太陽質量で、A=3×108以上の軌道の電子のラブのエネルギーと電子のラブの公転軌道と自転軌道と電子のラブが1秒間に作る磁気の光子のエネルギー（＝電気の光子のエネルギー）と軌道エネルギー
表１４
2020005400.tif 000017
この事によって理解できる事
A=3×108以上の軌道の電子のラブは中央の軌道に進むほど高エネルギーになる。
A=3×108以上の軌道の電子のラブは中央の軌道に進むほど、1秒間に作る磁気の光子のエネルギーと電気の光子のエネルギーは大きく成る。
軌道エネルギーは中央の軌道に進むほど大きく成り、引力は大きく成り、回転速度は速く成る。回転速度は光速以上に成る。
○1010太陽質量のブラックホールの場合。
1010太陽質量のブラックホールの軌道エネルギー＝5.438×1018＋2n/3JKm÷軌道＝5.438×1018＋2×10/3JKm÷軌道半径＝5.438×1018＋6.6667JKm÷軌道半径＝5.438×1024×4.641JKm÷軌道半径＝2.524×1025JKm÷軌道半径
1010太陽質量のブラックホールで、A=3×108以上の場の電子のラブのエネルギーと電子のラブの公転軌道と自転軌道と電子のラブが1秒間に作る磁気の光子のエネルギー（＝電気の光子のエネルギー）と軌道エネルギー
表１５
2020005400.tif 000018
この事によって理解できる事
A=3×108以上の軌道の電子のラブは中央の軌道に進むほど高エネルギーになる。
A=3×108以上の軌道の電子のラブは中央の軌道に進むほど、1秒間に作る磁気の光子のエネルギーと電気の光子のエネルギーは大きく成る。
軌道エネルギーは中央の軌道に進むほど大きく成り、引力は大きく成り、回転速度は速く成る。回転速度は光速以上に成る。
○1011太陽質量のブラックホールの場合。
1011太陽質量のブラックホールの軌道エネルギー＝5.438×1018＋2n/3JKm÷軌道＝5.438×1018＋22/3JKm÷軌道＝5.438×1018＋7.333JKm÷軌道半径＝5.438×1025×2.154JKm÷軌道半径＝1.171×1026JKm÷軌道半径
1011太陽質量のブラックホールで、A=3×108以上の場の電子のラブのエネルギーと電子のラブの公転軌道と自転軌道と電子のラブが1秒間に作る磁気の光子のエネルギー（＝電気の光子のエネルギー）と軌道エネルギー
表１６
2020005400.tif 000019
この事によって理解できる事
A=3×108以上の軌道の電子のラブは中央の軌道に進むほど高エネルギーになる。
A=3×108以上の軌道の電子のラブは中央の軌道に進むほど、1秒間に作る磁気の光子のエネルギーと電気の光子のエネルギーは大きく成る。
軌道エネルギーは中央の軌道に進むほど大きく成り、引力は大きく成り、回転速度は速く成る。回転速度は光速以上に成る。
【請求項２】
ブラックホールの中の電磁気が引き込まれる軌道より小さい軌道の、Aと陽子のラブのエネルギーと陽子のラブの公転軌道と自転軌道と陽子のラブが1秒間に作る磁気の光子のエネルギー（＝電気の光子のエネルギー）はいくらか。
ブラックホールの電磁気を引きこむ場のAは3×108です。この場の陽子のラブのエネルギーは地表の陽子のラブの3×108倍です。
陽子のラブのエネルギー＝1.503×10-10J×A
陽子のラブの公転軌道＝5.765×10-14m÷A
陽子のラブの自転軌道＝4.171×10-18m÷A
1秒間に作る磁気の光子のエネルギー（＝電気の光子のエネルギー）＝2.318×10-32Jm÷公転軌道
○109太陽質量のブラックホールの場合。
109太陽質量のブラックホールで、A=3×108以上の場の陽子のラブのエネルギーと陽子のラブの公転軌道と自転軌道と陽子のラブが1秒間に作る磁気の光子のエネルギー（＝電気の光子のエネルギー）
表１７
2020005400.tif 000020
この事によって理解できる事
A=3×108以上の軌道の陽子のラブは中央の軌道に進むほど高エネルギーになる。
A=3×108以上の軌道の陽子のラブは中央の軌道に進むほど、1秒間に作る磁気の光子のエネルギーと電気の光子のエネルギーは大きく成る。
それで、中央の軌道に進むほど、引力は大きく成り、回転速度は速く成る。回転速度は光速以上に成る。
○1010太陽質量のブラックホールの場合。
1010太陽質量のブラックホールで、A=3×108以上の場の陽子のラブのエネルギーと陽子のラブの公転軌道と自転軌道と陽子のラブが1秒間に作る磁気の光子のエネルギー（＝電気の光子のエネルギー）
表１８
2020005400.tif 000021
この事によって理解できる事
A=3×108以上の軌道の陽子のラブは中央の軌道に進むほど高エネルギーになる。
A=3×108以上の軌道の陽子のラブは中央の軌道に進むほど、1秒間に作る磁気の光子のエネルギーと電気の光子のエネルギーは大きく成る。
それで、中央の軌道に進むほど、引力は大きく成り、回転速度は速く成る。回転速度は光速以上に成る。
○1011太陽質量のブラックホールの場合。
1011太陽質量のブラックホールで、A=3×108以上の場の陽子のラブのエネルギーと陽子のラブの公転軌道と自転軌道と陽子のラブが1秒間に作る磁気の光子のエネルギー（＝電気の光子のエネルギー）
表１９
2020005400.tif 000022
この事によって理解できる事
A=3×108以上の軌道の陽子のラブは中央の軌道に進むほど高エネルギーになる。
A=3×108以上の軌道の陽子のラブは中央の軌道に進むほど、1秒間に作る磁気の光子のエネルギーと電気の光子のエネルギーは大きく成る。
それで、中央の軌道に進むほど、引力は大きく成り、回転速度は速く成る。回転速度は光速以上に成る。
【請求項３】
ビッグバンの場の場合はどのようであるか。
○マイナスの宇宙で、電磁気1個のエネルギーが3.769×10−21Jの場合。
場のAと1束の電磁気数と電子のラブに成る電磁気1個のエネルギーと電子のラブに成る1束の電磁気のエネルギーと、1束の電磁気数と陽子のラブに成る電磁気1個のエネルギーと陽子のラブに成る1束の電磁気のエネルギー。A=1.629×1010の場で、電子のラブと陽子のラブはできた。A=4.795×1010の場で、ビッグバンは起きた。
表２０
2020005400.tif 000023
2020005400.tif 000024
A=1.629×1010の場で、電子のラブと陽子のラブはできた。A=4.795×1010の場で、ビッグバンは起きた。
A=4.795×1010の場は電磁気の場で、マイナスの宇宙の場のAです。
プラスの宇宙では、この3×108倍ですから、A=4.795×1010×3×108＝1.439×1019、です。
ビッグバンが起きた点のAは1.439×1019です。
【請求項４】
“ブラックホールの中心の場の軌道”Aと、ビッグバンが起きた点のAの比較
“ブラックホールの中心の場の軌道”を10Km以下とする。
109太陽質量の“ブラックホールの中心の場の軌道”は6.042Kmで、Aは9.487×1011です。
1010太陽質量の“ブラックホールの中心の場の軌道”は2.805Kmで、Aは3×1012です。
1011太陽質量の“ブラックホールの中心の場の軌道”は1.303Kmで、Aは9.484×1012です。
ビッグバンが起きた点のAは1.439×1019です。
【請求項５】
宇宙の中心の2.631×1013太陽質量のブラックホールの場合はどのようであるか。
宇宙の中心のブラックホールの軌道エネルギーで光速2に成る軌道の距離はいくらか。
ブラックホールの軌道エネルギー＝5.438×1018＋2n/3JKm÷距離＝9×1016
宇宙の中心のブラックホールは、2.631×1013太陽質量なので、宇宙の中心のブラックホールが作る軌道エネルギー＝2.524×1027JKm÷距離＝9×1016
距離＝2.524×1027JKm÷（9×1016）＝2.804×1010（Km）
宇宙の中心の2.631×1013太陽質量のブラックホールで、A=3×108以上の場の電子のラブのエネルギーと電子のラブの公転軌道と自転軌道と電子のラブが1秒間に作る磁気の光子のエネルギー（＝電気の光子のエネルギー）
表２１
2020005400.tif 000025
宇宙の中心の2.631×1013太陽質量の“ブラックホールの中心の場の軌道”は2.804Kmで、Aは3.000×1013です。
但し、但し、“ブラックホールの中心の場の軌道”の単位を10Km以下とする。
まとめて表に示す。
“ブラックホールの中心の場の軌道”
表２２
2020005400.tif 000026
【請求項６】
ビッグバンの起きた点の痕に、宇宙の中心のブラックホールができた事は何によって推測できるか。
ビッグバンが起きた点のAは1.439×1019です。ビッグバンが起きた点の痕にブラックホールができたのであるから、そのブラックホールの中心のAはビッグバンが起きた点のAより小さい。
・ビッグバンが起きた点のAは、宇宙の中心の2.631×1013太陽質量のブラックホールの中心の場のAの何倍か。但し、宇宙の中心の2.631×1013太陽質量の“ブラックホールの中心の場の軌道”を2.804Kmとする。
ビッグバンが起きた点のA÷宇宙の中心の2.631×1013太陽質量のブラックホールの中心の場のA＝1.439×1019÷（3.000×1013）＝4.797×105（倍）
ビッグバンが起きた点のAは、宇宙の中心の2.631×1013太陽質量のブラックホールの中心の場のAの4.797×105倍です。
・宇宙の中心の2.631×1013太陽質量のブラックホールの中心の場のAはビッグバンが起きた点のAの何倍か。
宇宙の中心の2.631×1013太陽質量のブラックホールの中心の場のA÷ビッグバンが起きた点のA＝3.000×1013÷（1.439×1019）＝2.085×10-6（倍）
宇宙の中心の2.631×1013太陽質量のブラックホールの中心の場のAはビッグバンが起きた点のAの2.085×10-6倍です。
この事によって何が理解できるか。
ビッグバンが起きた点のAは1.439×1019であり、その痕に、2.085×10-6倍のエネルギー体のものが残った。それが宇宙の中心のブラックホールの中心の塊です。
【請求項７】
ビッグバンの起きた点の大きさはいくらか。ビッグバンの時、電子のラブのエネルギーが8.665Jの場合、宇宙の素粒子数（電子のラブと陽子のラブの数）は4.554×1084個とする。
ビッグバンが起きた点のAは1.439×1019である。それで、ビッグバンが起きた点の陽子のラブの自転軌道は、
地表の陽子のラブの自転軌道÷A＝4.175×10-18m÷A＝4.175×10-18m÷（1.439×1019）＝2.901×10-37m、です。
ビッグバンが起きた点の半径にr個の陽子のラブが存在するとする。ビッグバンが起きた点には、4/3×πｒ3個の陽子のラブが存在するので、
4/3×πｒ3個＝4.554×1084個
ｒ3個＝4.554×1084個÷（4/3×π）＝1.088×1084個
ｒ個＝（1.088×1084）1/3=1.0285×1028個
ビッグバンが起きた点の半径に1.0285×1028個の陽子のラブが存在する。
ビッグバンが起きた点の半径は、陽子のラブの自転軌道×陽子のラブの数＝2.901×10-37m×1.0285×1028個＝2.984×10-9m、です。
ビッグバンの時、ビッグバンの起きた点の半径は2.984×10-9mです。
・また次のようにも考えられます。
ビッグバンが起きた点に於いて、陽子のラブは自転せず、陽子のラブの大きさに成っている。
陽子のラブの大きさは、1.233×10-41Jm÷その場の陽子のラブのエネルギー＝1.233×10-41Jm÷（地表の陽子のラブのエネルギー×A）＝1.233×10-41Jm÷（1.503×10-10J×1.439×1019）＝1.233×10-41Jm÷（2.163×109J）＝5.700×10-51m
ビッグバンが起きた点に於いて、陽子のラブは自転せず、陽子のラブの大きさに成っている場合、陽子のラブのエネルギーは2.163×109Jで、大きさは5.700×10-51mです。
それで、ビッグバンの時、ビッグバンの起きた点の半径は、
陽子のラブの大きさ×半径の陽子のラブの数＝5.700×10-51m×1.0285×1028個＝5.862×10-23m、です。
ビッグバンが起きた点に於いて、陽子のラブは自転せず、陽子のラブの大きさに成っている場合、ビッグバンの時、ビッグバンの起きた点の半径は5.862×10-23mです。
まとめて表に示す。
ビッグバンの起きた点
表２３
2020005400.tif 000027
【請求項８】
宇宙の中央の2.631×1013太陽質量のブラックホールの球の大きさはいくらか。
・宇宙の中央の2.631×1013太陽質量のブラックホールの陽子の数はいくらか。
太陽質量は、1.988×1030Kgです。陽子の質量は、1.67262×10-27Kgです。
それで、１太陽質量の陽子の数は、太陽質量÷陽子の質量＝1.988×1030Kg÷（1.67262×10-27Kg）＝1.1886×1057個、です。
宇宙の中央の2.631×1013太陽質量のブラックホールの陽子の数は、2.631×1013太陽質量×１太陽質量の陽子の数＝2.631×1013×1.1886×1057個＝3.127×1070個
宇宙の中央の2.631×1013太陽質量のブラックホールの陽子の数は3.127×1070個です。
・宇宙の中央の2.631×1013太陽質量のブラックホールの中心の球体の半径にr個の陽子のラブが存在するとする。
4/3×πr3個=3.127×1070個
r3個=3.127×1070個÷（4/3×π）＝7.469×1069個
ｒ個＝（7.469×1069個）1/3=1.955×1023個
宇宙の中央の2.631×1013太陽質量のブラックホールの中心の球体の半径に1.955×1023個の陽子のラブが存在する。
宇宙の中心の2.631×1013太陽質量のブラックホールの中心点のAをA´とする。
宇宙の中心の2.631×1013太陽質量のブラックホールの中心点の陽子のラブの自転軌道は、4.175×10-18m÷A´、です。
それで、宇宙の中心の2.631×1013太陽質量のブラックホールの中心の球の半径は、
宇宙の中心の2.631×1013太陽質量のブラックホールの中心の球の半径の陽子の数×陽子のラブの自転軌道＝1.955×1023個×4.175×10-18m÷A´＝8.162×105m÷A´
・A´はいくらか。
“ブラックホールの中心の場の軌道”を10Km以下とする。
“ブラックホールの中心の場の軌道”を2.804Kmとする場合、Aは3.000×1013である。
A´の値を3.000×1013であるとすると、中心の場の陽子のラブの自転軌道は、4.175×10-18m÷A´＝4.175×10-18m÷（3.000×1013）＝1.392×10-31m、です。
それで、宇宙の中心の2.631×1013太陽質量のブラックホールの中心の球体の半径は、
宇宙の中心の2.631×1013太陽質量のブラックホールの中心の球体の半径の陽子の数×陽子のラブの自転軌道＝1.955×1023個×1.392×10-31m＝2.721×10-8m、です。
表に示す。
宇宙の中央の2.631×1013太陽質量のブラックホールの中心の球体
表２４
2020005400.tif 000028
【請求項９】
宇宙の中心の2.631×1013太陽質量のブラックホールの球体はどのようになっているか。
宇宙の中心の2.631×1013太陽質量の“ブラックホールの中心の場の軌道”は2.804Kmとし、この場のAは3.000×1013です。
宇宙の中心の2.631×1013太陽質量のブラックホールの中心の球体の半径は2.721×10-8mです。
その周囲に、光速の軌道が有る。この球体の半径は、
宇宙の中心のブラックホールは、2.631×1013太陽質量なので、宇宙の中心のブラックホールが作る軌道エネルギー＝2.524×1027JKm÷距離＝9×1016
距離＝2.524×1027JKm÷（9×1016）＝2.804×1010Km、です。
即ち、宇宙の中心の2.631×1013太陽質量のブラックホールの全ての質量は、半径2.721×10-8mの球体に存在する。これを、“ブラックホールの全質量が集まる中央の球体”と名付ける。
中心の場の軌道の単位を10Km以下とする。それを“ブラックホールの中心の場の軌道”と名付ける。
光速となる軌道を“ブラックホールの光速の球体”と名付ける。
表２５
2020005400.tif 000029
【請求項１０】
1011太陽質量のブラックホールの球はどのようになっているか。
・“1011太陽質量のブラックホールの全質量が集まる中央の球体”の半径はいくらか。但し、1011太陽質量の“ブラックホールの中心の場の軌道”を1.303Kmとし、この場のAは9.484×1012です。
1011太陽質量のブラックホールの陽子の数は、1011太陽質量×１太陽質量の陽子の数＝1011×1.189×1057個＝1.189×1068個、です。
・1011太陽質量のブラックホールの中心の球体の半径にr個の陽子のラブが存在するとする。
4/3×πr3個=1.189×1068個
r3個=1.189×1068個÷（4/3×π）＝2.840×1067個
ｒ個＝（2.840×1067個）1/3=3.051×1022個
1011太陽質量のブラックホールの中心の球の半径に3.051×1022個の陽子のラブが存在する。
1011太陽質量のブラックホールの中心の場のAは9.484×1012です。
1011太陽質量のブラックホールの中心の場の陽子のラブの自転軌道は、4.175×10-18m÷（9.484×1012）＝4.402×10-31m、です。
それで、1011太陽質量のブラックホールの中心の球体の半径は、
1011太陽質量のブラックホールの中心の球体の半径の陽子の数×陽子のラブの自転軌道＝3.051×1022個×4.402×10-31m＝1.343×10-8m、です。
それで、1011太陽質量のブラックホールは次のようです。
“ブラックホールの全質量が集まる中央の球体”の半径は1.343×10-8mです。
“ブラックホールの中心の場の軌道”は1.303Kmです。この場のAは9.484×1012です。
“ブラックホールの光速の球体”の半径は1.303×109Kmです。
【請求項１１】
1010太陽質量のブラックホールの球はどのようになっているか。
・“1010太陽質量のブラックホールの全質量が集まる中央の球体”の半径はいくらか。但し、1010太陽質量の“ブラックホールの中心の場の軌道”を2.805Km とし、この場のAは3×1012です。
1010太陽質量のブラックホールの陽子の数は、1010太陽質量×1太陽質量の陽子の数＝1010×1.189×1057個＝1.189×1067個、です。
・1010太陽質量のブラックホールの中心の球の半径にr個の陽子のラブが存在するとする。
4/3×πr3個=1.189×1067個
r3個=1.189×1067個÷（4/3×π）＝2.840×1066個
ｒ個＝（2.840×1066個）1/3=1.416×1022個
1010太陽質量のブラックホールの中心の球体の半径に1.416×1022個の陽子のラブが存在する。
1010太陽質量のブラックホールの中心の場のAは3×1012です。
1010太陽質量のブラックホールの中心の場の陽子のラブの自転軌道は、4.175×10-18m÷（3×1012）＝1.392×10-30m、です。
それで、1010太陽質量のブラックホールの中心の球体の半径は、
1010太陽質量のブラックホールの中心の球体の半径の陽子の数×陽子のラブの自転軌道＝1.416×1022個×1.392×10-30m＝1.971×10-8m、です。
それで、1010太陽質量のブラックホールは次のようです。
“ブラックホールの全質量が集まる中央の球体”の半径は1.971×10-8mです。
“ブラックホールの中心の場の軌道”は2.085Kmです。この場のAは3×1012です。
“ブラックホールの光速の球体”の半径は2.805×108Km です。
【請求項１２】
109太陽質量のブラックホールの球はどのようになっているか。
・“109太陽質量のブラックホールの全質量が集まる中央の球体”の半径はいくらか。但し、109太陽質量の“ブラックホールの中心の場の軌道”を6.042Km  とし、この場のAは9.487×1011です。
109太陽質量のブラックホールの陽子の数は、109太陽質量×1太陽質量の陽子の数＝109×1.189×1057個＝1.189×1066個、です。
・109太陽質量のブラックホールの中心の球体の半径にr個の陽子のラブが存在するとする。
4/3×πr3個=1.189×1066個
r3個=1.189×1066個÷（4/3×π）＝2.840×1065個
ｒ個＝（2.840×1065個）1/3=6.573×1021個
109太陽質量のブラックホールの中心の球体の半径に6.573×1021個の陽子のラブが存在する。
109太陽質量のブラックホールの中心の場のAは9.487×1011です。
109太陽質量のブラックホールの中心の場の陽子のラブの自転軌道は、4.175×10-18m÷（9.487×1011）＝4.401×10-30m、です。
それで、109太陽質量のブラックホールの中心の球体の半径は、
109太陽質量のブラックホールの中心の球体の半径の陽子の数×陽子のラブの自転軌道＝6.573×1021個×4.401×10-30m＝2.893×10-8m、です。
それで、109太陽質量のブラックホールは次のようです。
“ブラックホールの全質量が集まる中央の球体”の半径は2.893×10-8mです。
“ブラックホールの中心の場の軌道”は6.042Kmです。この場のAは9.487×1011です。
“ブラックホールの光速の球体”の半径は6.042×107Km です。
まとめて表に示す。
1011太陽質量のブラックホールの球と1010太陽質量のブラックホールの球と109太陽質量のブラックホールの球体のようす
表２６
2020005400.tif 000030
【発明の詳細な説明】
【技術分野】
【０００１】
本発明は、ブラックホールとビッグバンに関する物である。
【背景技術】
【０００２】
2018年5月20日に提出した、特願2018-096696．「ブラックホール」に於いて、
「請求項10」で、109太陽質量のブラックホールの光子が吸い込まれる軌道より小さい軌道の、軌道エネルギーと引力2と引力と速度と場のAと1束の電磁気数はどのようであるか。
「請求項11」で、1010太陽質量のブラックホールの光子が吸い込まれる軌道より小さい軌道の、軌道エネルギーと引力2と引力と速度と場のAと1束の電磁気数はどのようであるか。
「請求項12」で、1011太陽質量のブラックホールの光子が吸い込まれる軌道より小さい軌道の、軌道エネルギーと引力2と引力と速度と場のAと1束の電磁気数はどのようであるか。について考えた。
【先行技術文献】
【特許文献】
【０００３】
【特許文献１】特願2017-194062
【特許文献１】特願2018-096696
【発明の概要】
【発明が解決しようとする課題】
【０００４】
１．    ブラックホールの中の電磁気が引き込まれる軌道より小さい軌道の、Aと電子のラブのエネルギーと電子のラブの公転軌道と自転軌道と1秒間に作る磁気の光子のエネルギー（＝電気の光子のエネルギー）と軌道エネルギーはいくらか。
○109太陽質量のブラックホールの場合。
○1010太陽質量のブラックホールの場合。
○1011太陽質量のブラックホールの場合。
２．    ブラックホールの中の電磁気が引き込まれる軌道より小さい軌道の、Aと陽子のラブのエネルギーと陽子のラブの公転軌道と自転軌道と陽子のラブが1秒間に作る磁気の光子のエネルギー（＝電気の光子のエネルギー）はいくらか。
○109太陽質量のブラックホールの場合。
○1010太陽質量のブラックホールの場合。
○1011太陽質量のブラックホールの場合。
３．    ビッグバンの場の場合はどのようであるか。
４．    ブラックホールの中央のAと、ビッグバンが起きた点のAの比較
５．    宇宙の中心の2.631×1013太陽質量のブラックホールの場合はどのようであるか。
６．    ビッグバンの起きた点の痕に、宇宙の中心のブラックホールができた事は何によって推測できるか。
７．    ビッグバンの起きた点の大きさはいくらか。ビッグバンの時、電子のラブのエネルギーが8.665Jの場合、宇宙の素粒子数（電子のラブと陽子のラブの数）は4.554×1084個とする。
８．    宇宙の中央の2.631×1013太陽質量のブラックホールの球の大きさはいくらか。
９．    宇宙の中央の2.631×1013太陽質量のブラックホールの球はどのようになっているか。
１０．    1011太陽質量のブラックホールの球はどのようになっているか。
１１．    1010太陽質量のブラックホールの球はどのようになっているか。
１２．    109太陽質量のブラックホールの球はどのようになっているか。
【課題を解決するための手段】
【０００５】
1．ブラックホールの電磁気を引きこむ場のAは3×108です。この場の電子のラブのエネルギーは地表の電子のラブのエネルギーの3×108倍です。
電子のラブのエネルギー＝地表の電子のラブのエネルギー×A＝8.187×10-14J×A
電子のラブの公転軌道＝地表の電子のラブの公転軌道÷A＝1.058×10-10m÷A
電子のラブの自転軌道＝地表の電子のラブの自転軌道÷A＝4.175×10-18m÷A
1秒間に作る磁気の光子のエネルギー（＝電気の光子のエネルギー）＝7.815×10-26Jm÷公転軌道
軌道エネルギー＝5.438×1018＋2n/3JKm÷軌道
2．ブラックホールの電磁気を引きこむ場のAは3×108です。この場の陽子のラブのエネルギーは地表の陽子のラブの3×108倍です。
陽子のラブのエネルギー＝1.503×10-10J×A
陽子のラブの公転軌道＝5.765×10-14m÷A
陽子のラブの自転軌道＝4.171×10-18m÷A
1秒間に作る磁気の光子のエネルギー（＝電気の光子のエネルギー）＝2.318×10-32Jm÷公転軌道
3．マイナスの宇宙で、電磁気1個のエネルギーが3.769×10−21Jの場合。
場のAと1束の電磁気数と電子のラブに成る電磁気1個のエネルギーと電子のラブに成る1束の電磁気のエネルギーと、1束の電磁気数と陽子のラブに成る電磁気1個のエネルギーと陽子のラブに成る1束の電磁気のエネルギー。A=1.629×1010の場で、電子のラブと陽子のラブはできた。A=4.795×1010の場で、ビッグバンは起きた。
4．ブラックホールの中心の場の軌道を10Km以下とする。
5．宇宙の中心のブラックホールの軌道エネルギーで光速2に成る軌道の距離はいくらか。
ブラックホールの軌道エネルギー＝5.438×1018＋2n/3JKm÷距離＝9×1016
宇宙の中心のブラックホールは、2.631×1013太陽質量なので、宇宙の中心のブラックホールが作る軌道エネルギー＝2.524×1027JKm÷距離＝9×1016
距離＝2.524×1027JKm÷（9×1016）＝2.804×1010（Km）
6．ビッグバンが起きた点のAは、宇宙の中心の2.631×1013太陽質量のブラックホールの中心のAの何倍か。但し、宇宙の中心の2.631×1013太陽質量のブラックホールの中心の軌道を2.804Kmとする場合。
ビッグバンが起きた点のA÷宇宙の中心の2.631×1013太陽質量のブラックホールの中心のA＝1.439×1019÷（3.000×1013）＝4.797×105（倍）
7．ビッグバンが起きた点の半径に1.0285×1028個の陽子のラブが存在する。
ビッグバンが起きた点の半径は、陽子のラブの自転軌道×陽子のラブの数＝2.901×10-37m×1.0285×1028個＝2.984×10-9m、です。
8．A´の値を3.000×1013であるとすると、中心点の陽子のラブの自転軌道は、4.175×10-18m÷A´＝4.175×10-18m÷（3.000×1013）＝1.392×10-31m、です。
それで、宇宙の中心の2.631×1013太陽質量のブラックホールの中心の球の半径は、
宇宙の中心の2.631×1013太陽質量のブラックホールの中心の球の半径の陽子の数×陽子のラブの自転軌道＝1.955×1023個×1.392×10-31m＝2.721×10-8m、です。
9．宇宙の中心の2.631×1013太陽質量のブラックホールの全ての質量は、半径2.721×10-8mの球体に存在する。これを、“ブラックホールの全質量が集まる中央の球体”と名付ける。
中心の場の軌道の単位を10Km以下とする。それを“ブラックホールの中心の場の軌道”と名付ける。
光速となる軌道を“ブラックホールの光速の球体”と名付ける。  
10．11．12．は9．と同様に考える。
【発明の効果】
【０００６】
1．表に示す。
2．表に示す。
3．表に示す。
4．表に示す。
5．表に示す。
6．ビッグバンが起きた点のAは1.439×1019であり、その痕に、2.085×10-6倍のエネルギー体のものが残った。それが宇宙の中心のブラックホールの中心の塊です。
7．表に示す。
8．表に示す。
9．表に示す。
10．11．12．まとめて表に示す。
【図面の簡単な説明】
【０００７】
【図１】図1はビッグバンの起きた点を示す。ビッグバンの起きた点の大きさはいくらか。ビッグバンの時、電子のラブのエネルギーが8.665Jの場合、宇宙の素粒子数（電子のラブと陽子のラブの数）は4.554×1084個とする。ビッグバンが起きた点のAは1.439×1019である。それで、ビッグバンが起きた点の陽子のラブの自転軌道は、地表の陽子のラブの自転軌道÷A=4.175×10-18m÷A＝4.175×10-18m÷（1.439×1019）＝2.901×10-37m、です。ビッグバンが起きた点の半径にr個の陽子のラブが存在するとする。ビッグバンが起きた点には、4/3×πｒ3個の陽子のラブが存在するので、4/3×πｒ3個＝4.554×1084個ｒ3個＝4.554×1084個÷（4/3×π）＝1.088×1084個ｒ個＝（1.088×1084）1/3=1.0285×1028個ビッグバンが起きた点の半径に1.0285×1028個の陽子のラブが存在する。ビッグバンが起きた点の半径は、陽子のラブの自転軌道×陽子のラブの数＝2.901×10-37m×1.0285×1028個＝2.984×10-9m、です。ビッグバンの時、ビッグバンの起きた点の半径は2.984×10-9mです。
【図２】図２はビッグバンが起きた点のAは1.439×1019であり、その痕に、2.085×10-6倍のエネルギー体のものが残った。それが宇宙の中心のブラックホールの中心の塊です。
【図３】図３は1010太陽質量のブラックホールの球体を示す。・“1010太陽質量のブラックホールの全質量が集まる中央の球体”の半径はいくらか。但し、1010太陽質量のブラックホールの中心の場の軌道を2.805Km とし、この場のAは3×1012です。1010太陽質量のブラックホールの陽子の数は、1010太陽質量×太陽質量の陽子の数＝1010×1.189×1057個＝1.189×1067個、です。・1010太陽質量のブラックホールの中心の球の半径にr個の陽子のラブが存在するとする。4/3×πr3個=1.189×1067個r3個=1.189×1067個÷（4/3×π）＝2.840×1066個ｒ個＝（2.840×1066個）1/3=1.416×1022個1010太陽質量のブラックホールの中心の球の半径に1.416×1022個の陽子のラブが存在する。1010太陽質量のブラックホールの中心の場のAは3×1012です。1010太陽質量のブラックホールの中心の場の陽子のラブの自転軌道は、地表の陽子のラブの自転軌道÷A=4.175×10-18m÷（3×1012）＝1.392×10-30m、です。それで、1010太陽質量のブラックホールの中心の球の半径は、1010太陽質量のブラックホールの中心の球の半径の陽子の数×陽子のラブの自転軌道＝1.416×1022個×1.392×10-30m＝1.971×10-8m、です。それで、1010太陽質量のブラックホールは次のようです。“ブラックホールの全質量が集まる中央の球体”の半径は1.971×10-8mです。“ブラックホールの中心の場の軌道”は2.085Kmです。この場のAは3×1012です。“ブラックホールの光速の球体”の半径は2.805×108Km です。軌道エネルギー＝5.438×1018＋2×10÷3JKm÷距離＝9×1016J距離＝5.385×1018＋2×10÷3JKm÷（9×1016J）＝5.438×1018×106.6667JKm÷（9×1016J）＝6.042×10×106.667Km＝6.042×107×4.642Km=2.805×108Km
【発明を実施するための形態】
【０００８】
１．    ブラックホールの中の電磁気が引き込まれる軌道より小さい軌道の、Aと電子のラブのエネルギーと電子のラブの公転軌道と自転軌道と1秒間に作る磁気の光子のエネルギー（＝電気の光子のエネルギー）と軌道エネルギーはいくらか。
ブラックホールの電磁気を引きこむ場のAは3×108です。この場の電子のラブのエネルギーは地表の電子のラブの3×108倍です。
電子のラブのエネルギー＝地表の電子のラブのエネルギー×A＝8.187×10-14J×A
電子のラブの公転軌道＝地表の電子のラブの公転軌道÷A＝1.058×10-10m÷A
電子のラブの自転軌道＝地表の電子のラブの自転軌道÷A＝4.175×10-18m÷A
1秒間に作る磁気の光子のエネルギー（＝電気の光子のエネルギー）＝7.815×10-26Jm÷公転軌道
軌道エネルギー＝5.438×1018＋2n/3JKm÷軌道
○109太陽質量のブラックホールの場合。
109太陽質量のブラックホールの軌道エネルギー＝5.438×1018＋2n/3JKm÷軌道＝5.438×1024JKm÷軌道
109太陽質量で、A=3×108以上の軌道の電子のラブのエネルギーと電子のラブの公転軌道と自転軌道と電子のラブが1秒間に作る磁気の光子のエネルギー（＝電気の光子のエネルギー）と軌道エネルギー
表１
2020005400.tif 000003
この事によって理解できる事
A=3×108以上の軌道の電子のラブは中央の軌道に進むほど高エネルギーになる。
A=3×108以上の軌道の電子のラブは中央の軌道に進むほど、1秒間に作る磁気の光子のエネルギーと電気の光子のエネルギーは大きく成る。
軌道エネルギーは中央の軌道に進むほど大きく成り、引力は大きく成り、回転速度は速く成る。回転速度は光速以上に成る。
○1010太陽質量のブラックホールの場合。
1010太陽質量のブラックホールの軌道エネルギー＝5.438×1018＋2n/3JKm÷軌道＝5.438×1018＋2×10/3JKm÷軌道半径＝5.438×1018＋6.6667JKm÷軌道半径＝5.438×1024×4.641JKm÷軌道半径＝2.524×1025JKm÷軌道半径
1010太陽質量のブラックホールで、A=3×108以上の場の電子のラブのエネルギーと電子のラブの公転軌道と自転軌道と電子のラブが1秒間に作る磁気の光子のエネルギー（＝電気の光子のエネルギー）と軌道エネルギー
表２
2020005400.tif 000004
この事によって理解できる事
A=3×108以上の軌道の電子のラブは中央の軌道に進むほど高エネルギーになる。
A=3×108以上の軌道の電子のラブは中央の軌道に進むほど、1秒間に作る磁気の光子のエネルギーと電気の光子のエネルギーは大きく成る。
軌道エネルギーは中央の軌道に進むほど大きく成り、引力は大きく成り、回転速度は速く成る。回転速度は光速以上に成る。
○1011太陽質量のブラックホールの場合。
1011太陽質量のブラックホールの軌道エネルギー＝5.438×1018＋2n/3JKm÷軌道＝5.438×1018＋22/3JKm÷軌道＝5.438×1018＋7.333JKm÷軌道半径＝5.438×1025×2.154JKm÷軌道半径＝1.171×1026JKm÷軌道半径
1011太陽質量のブラックホールで、A=3×108以上の場の電子のラブのエネルギーと電子のラブの公転軌道と自転軌道と電子のラブが1秒間に作る磁気の光子のエネルギー（＝電気の光子のエネルギー）と軌道エネルギー
表３
2020005400.tif 000005
この事によって理解できる事
A=3×108以上の軌道の電子のラブは中央の軌道に進むほど高エネルギーになる。
A=3×108以上の軌道の電子のラブは中央の軌道に進むほど、1秒間に作る磁気の光子のエネルギーと電気の光子のエネルギーは大きく成る。
軌道エネルギーは中央の軌道に進むほど大きく成り、引力は大きく成り、回転速度は速く成る。回転速度は光速以上に成る。
２．    ブラックホールの中の電磁気が引き込まれる軌道より小さい軌道の、Aと陽子のラブのエネルギーと陽子のラブの公転軌道と自転軌道と陽子のラブが1秒間に作る磁気の光子のエネルギー（＝電気の光子のエネルギー）はいくらか。
ブラックホールの電磁気を引きこむ場のAは3×108です。この場の陽子のラブのエネルギーは地表の陽子のラブの3×108倍です。
陽子のラブのエネルギー＝1.503×10-10J×A
陽子のラブの公転軌道＝5.765×10-14m÷A
陽子のラブの自転軌道＝4.171×10-18m÷A
1秒間に作る磁気の光子のエネルギー（＝電気の光子のエネルギー）＝2.318×10-32Jm÷公転軌道
○109太陽質量のブラックホールの場合。
109太陽質量のブラックホールで、A=3×108以上の場の陽子のラブのエネルギーと陽子のラブの公転軌道と自転軌道と陽子のラブが1秒間に作る磁気の光子のエネルギー（＝電気の光子のエネルギー）
表４
2020005400.tif 000006
この事によって理解できる事
A=3×108以上の軌道の陽子のラブは中央の軌道に進むほど高エネルギーになる。
A=3×108以上の軌道の陽子のラブは中央の軌道に進むほど、1秒間に作る磁気の光子のエネルギーと電気の光子のエネルギーは大きく成る。
それで、中央の軌道に進むほど、引力は大きく成り、回転速度は速く成る。回転速度は光速以上に成る。
○1010太陽質量のブラックホールの場合。
1010太陽質量のブラックホールで、A=3×108以上の場の陽子のラブのエネルギーと陽子のラブの公転軌道と自転軌道と陽子のラブが1秒間に作る磁気の光子のエネルギー（＝電気の光子のエネルギー）
表５
2020005400.tif 000007
この事によって理解できる事
A=3×108以上の軌道の陽子のラブは中央の軌道に進むほど高エネルギーになる。
A=3×108以上の軌道の陽子のラブは中央の軌道に進むほど、1秒間に作る磁気の光子のエネルギーと電気の光子のエネルギーは大きく成る。
それで、中央の軌道に進むほど、引力は大きく成り、回転速度は速く成る。回転速度は光速以上に成る。
○1011太陽質量のブラックホールの場合。
1011太陽質量のブラックホールで、A=3×108以上の場の陽子のラブのエネルギーと陽子のラブの公転軌道と自転軌道と陽子のラブが1秒間に作る磁気の光子のエネルギー（＝電気の光子のエネルギー）
表６
2020005400.tif 000008
この事によって理解できる事
A=3×108以上の軌道の陽子のラブは中央の軌道に進むほど高エネルギーになる。
A=3×108以上の軌道の陽子のラブは中央の軌道に進むほど、1秒間に作る磁気の光子のエネルギーと電気の光子のエネルギーは大きく成る。
それで、中央の軌道に進むほど、引力は大きく成り、回転速度は速く成る。回転速度は光速以上に成る。
３．    ビッグバンの場の場合はどのようであるか。
○マイナスの宇宙で、電磁気1個のエネルギーが3.769×10−21Jの場合。(2017年10月4日に提出した、特願2017-194062の「請求項11」より)
場のAと1束の電磁気数と電子のラブに成る電磁気1個のエネルギーと電子のラブに成る1束の電磁気のエネルギーと、1束の電磁気数と陽子のラブに成る電磁気1個のエネルギーと陽子のラブに成る1束の電磁気のエネルギー。A=1.629×1010の場で、電子のラブと陽子のラブはできた。A=4.795×1010の場で、ビッグバンは起きた。
表7
2020005400.tif 000009
2020005400.tif 000010
A=1.629×1010の場で、電子のラブと陽子のラブはできた。A=4.795×1010の場で、ビッグバンは起きた。
A=4.795×1010の場は電磁気の場で、マイナスの宇宙の場のAです。
プラスの宇宙では、この3×108倍ですから、A=4.795×1010×3×108＝1.439×1019、です。
ビッグバンが起きた点のAは1.439×1019です。
４．    “ブラックホールの中心の場の軌道”Aと、ビッグバンが起きた点のAの比較
“ブラックホールの中心の場の軌道”を10Km以下とする。
109太陽質量の“ブラックホールの中心の場の軌道”は6.042Kmで、Aは9.487×1011です。
1010太陽質量の“ブラックホールの中心の場の軌道”は2.805Kmで、Aは3×1012です。
1011太陽質量の“ブラックホールの中心の場の軌道”は1.303Kmで、Aは9.484×1012です。
ビッグバンが起きた点のAは1.439×1019です。
５．    宇宙の中心の2.631×1013太陽質量のブラックホールの場合はどのようであるか。
宇宙の中心のブラックホールの軌道エネルギーで光速2に成る軌道の距離はいくらか。
ブラックホールの軌道エネルギー＝5.438×1018＋2n/3JKm÷距離＝9×1016
宇宙の中心のブラックホールは、2.631×1013太陽質量なので、宇宙の中心のブラックホールが作る軌道エネルギー＝2.524×1027JKm÷距離＝9×1016
距離＝2.524×1027JKm÷（9×1016）＝2.804×1010（Km）
宇宙の中心の2.631×1013太陽質量のブラックホールで、A=3×108以上の場の電子のラブのエネルギーと電子のラブの公転軌道と自転軌道と電子のラブが1秒間に作る磁気の光子のエネルギー（＝電気の光子のエネルギー）
表8
2020005400.tif 000011
宇宙の中心の2.631×1013太陽質量の“ブラックホールの中心の場の軌道”は2.804Kmで、Aは3.000×1013です。
但し、但し、“ブラックホールの中心の場の軌道”の単位を10Km以下とする。
まとめて表に示す。
“ブラックホールの中心の場の軌道”
表９
2020005400.tif 000012
６．    ビッグバンの起きた点の痕に、宇宙の中心のブラックホールができた事は何によって推測できるか。
ビッグバンが起きた点のAは1.439×1019です。ビッグバンが起きた点の痕にブラックホールができたのであるから、そのブラックホールの中心のAはビッグバンが起きた点のAより小さい。
・ビッグバンが起きた点のAは、宇宙の中心の2.631×1013太陽質量のブラックホールの中心の場のAの何倍か。但し、宇宙の中心の2.631×1013太陽質量の“ブラックホールの中心の場の軌道”を2.804Kmとする。
ビッグバンが起きた点のA÷宇宙の中心の2.631×1013太陽質量のブラックホールの中心の場のA＝1.439×1019÷（3.000×1013）＝4.797×105（倍）
ビッグバンが起きた点のAは、宇宙の中心の2.631×1013太陽質量のブラックホールの中心の場のAの4.797×105倍です。
・宇宙の中心の2.631×1013太陽質量のブラックホールの中心の場のAはビッグバンが起きた点のAの何倍か。
宇宙の中心の2.631×1013太陽質量のブラックホールの中心の場のA÷ビッグバンが起きた点のA＝3.000×1013÷（1.439×1019）＝2.085×10-6（倍）
宇宙の中心の2.631×1013太陽質量のブラックホールの中心の場のAはビッグバンが起きた点のAの2.085×10-6倍です。
この事によって何が理解できるか。
ビッグバンが起きた点のAは1.439×1019であり、その痕に、2.085×10-6倍のエネルギー体のものが残った。それが宇宙の中心のブラックホールの中心の塊です。
７．    ビッグバンの起きた点の大きさはいくらか。ビッグバンの時、電子のラブのエネルギーが8.665Jの場合、宇宙の素粒子数（電子のラブと陽子のラブの数）は4.554×1084個とする。
ビッグバンが起きた点のAは1.439×1019である。それで、ビッグバンが起きた点の陽子のラブの自転軌道は、
地表の陽子のラブの自転軌道÷A＝4.175×10-18m÷A＝4.175×10-18m÷（1.439×1019）＝2.901×10-37m、です。
ビッグバンが起きた点の半径にr個の陽子のラブが存在するとする。ビッグバンが起きた点には、4/3×πｒ3個の陽子のラブが存在するので、
4/3×πｒ3個＝4.554×1084個
ｒ3個＝4.554×1084個÷（4/3×π）＝1.088×1084個
ｒ個＝（1.088×1084）1/3=1.0285×1028個
ビッグバンが起きた点の半径に1.0285×1028個の陽子のラブが存在する。
ビッグバンが起きた点の半径は、陽子のラブの自転軌道×陽子のラブの数＝2.901×10-37m×1.0285×1028個＝2.984×10-9m、です。
ビッグバンの時、ビッグバンの起きた点の半径は2.984×10-9mです。
・また次のようにも考えられます。
ビッグバンが起きた点に於いて、陽子のラブは自転せず、陽子のラブの大きさに成っている。
陽子のラブの大きさは、1.233×10-41Jm÷その場の陽子のラブのエネルギー＝1.233×10-41Jm÷（地表の陽子のラブのエネルギー×A）＝1.233×10-41Jm÷（1.503×10-10J×1.439×1019）＝1.233×10-41Jm÷（2.163×109J）＝5.700×10-51m
ビッグバンが起きた点に於いて、陽子のラブは自転せず、陽子のラブの大きさに成っている場合、陽子のラブのエネルギーは2.163×109Jで、大きさは5.700×10-51mです。
それで、ビッグバンの時、ビッグバンの起きた点の半径は、
陽子のラブの大きさ×半径の陽子のラブの数＝5.700×10-51m×1.0285×1028個＝5.862×10-23m、です。
ビッグバンが起きた点に於いて、陽子のラブは自転せず、陽子のラブの大きさに成っている場合、ビッグバンの時、ビッグバンの起きた点の半径は5.862×10-23mです。
まとめて表に示す。
ビッグバンの起きた点
表１０
2020005400.tif 000013
８．    宇宙の中央の2.631×1013太陽質量のブラックホールの球の大きさはいくらか。
・宇宙の中央の2.631×1013太陽質量のブラックホールの陽子の数はいくらか。
太陽質量は、1.988×1030Kgです。陽子の質量は、1.67262×10-27Kgです。
それで、１太陽質量の陽子の数は、太陽質量÷陽子の質量＝1.988×1030Kg÷（1.67262×10-27Kg）＝1.1886×1057個、です。
宇宙の中央の2.631×1013太陽質量のブラックホールの陽子の数は、2.631×1013太陽質量×１太陽質量の陽子の数＝2.631×1013×1.1886×1057個＝3.127×1070個
宇宙の中央の2.631×1013太陽質量のブラックホールの陽子の数は3.127×1070個です。
・宇宙の中央の2.631×1013太陽質量のブラックホールの中心の球体の半径にr個の陽子のラブが存在するとする。
4/3×πr3個=3.127×1070個
r3個=3.127×1070個÷（4/3×π）＝7.469×1069個
ｒ個＝（7.469×1069個）1/3=1.955×1023個
宇宙の中央の2.631×1013太陽質量のブラックホールの中心の球体の半径に1.955×1023個の陽子のラブが存在する。
宇宙の中心の2.631×1013太陽質量のブラックホールの中心点のAをA´とする。
宇宙の中心の2.631×1013太陽質量のブラックホールの中心点の陽子のラブの自転軌道は、4.175×10-18m÷A´、です。
それで、宇宙の中心の2.631×1013太陽質量のブラックホールの中心の球の半径は、
宇宙の中心の2.631×1013太陽質量のブラックホールの中心の球の半径の陽子の数×陽子のラブの自転軌道＝1.955×1023個×4.175×10-18m÷A´＝8.162×105m÷A´
・A´はいくらか。
“ブラックホールの中心の場の軌道”を10Km以下とする。
“ブラックホールの中心の場の軌道”を2.804Kmとする場合、Aは3.000×1013である。
A´の値を3.000×1013であるとすると、中心の場の陽子のラブの自転軌道は、4.175×10-18m÷A´＝4.175×10-18m÷（3.000×1013）＝1.392×10-31m、です。
それで、宇宙の中心の2.631×1013太陽質量のブラックホールの中心の球体の半径は、
宇宙の中心の2.631×1013太陽質量のブラックホールの中心の球体の半径の陽子の数×陽子のラブの自転軌道＝1.955×1023個×1.392×10-31m＝2.721×10-8m、です。
表に示す。
宇宙の中央の2.631×1013太陽質量のブラックホールの中心の球体
表１１
2020005400.tif 000014
９．    宇宙の中心の2.631×1013太陽質量のブラックホールの球体はどのようになっているか。
宇宙の中心の2.631×1013太陽質量の“ブラックホールの中心の場の軌道”は2.804Kmとし、この場のAは3.000×1013です。
宇宙の中心の2.631×1013太陽質量のブラックホールの中心の球体の半径は2.721×10-8mです。
その周囲に、光速の軌道が有る。この球体の半径は、
宇宙の中心のブラックホールは、2.631×1013太陽質量なので、宇宙の中心のブラックホールが作る軌道エネルギー＝2.524×1027JKm÷距離＝9×1016
距離＝2.524×1027JKm÷（9×1016）＝2.804×1010Km、です。
即ち、宇宙の中心の2.631×1013太陽質量のブラックホールの全ての質量は、半径2.721×10-8mの球体に存在する。これを、“ブラックホールの全質量が集まる中央の球体”と名付ける。
中心の場の軌道の単位を10Km以下とする。それを“ブラックホールの中心の場の軌道”と名付ける。
光速となる軌道を“ブラックホールの光速の球体”と名付ける。
表12
2020005400.tif 000015
１０．    1011太陽質量のブラックホールの球はどのようになっているか。
・“1011太陽質量のブラックホールの全質量が集まる中央の球体”の半径はいくらか。但し、1011太陽質量の“ブラックホールの中心の場の軌道”を1.303Kmとし、この場のAは9.484×1012です。
1011太陽質量のブラックホールの陽子の数は、1011太陽質量×１太陽質量の陽子の数＝1011×1.189×1057個＝1.189×1068個、です。
・1011太陽質量のブラックホールの中心の球体の半径にr個の陽子のラブが存在するとする。
4/3×πr3個=1.189×1068個
r3個=1.189×1068個÷（4/3×π）＝2.840×1067個
ｒ個＝（2.840×1067個）1/3=3.051×1022個
1011太陽質量のブラックホールの中心の球の半径に3.051×1022個の陽子のラブが存在する。
1011太陽質量のブラックホールの中心の場のAは9.484×1012です。
1011太陽質量のブラックホールの中心の場の陽子のラブの自転軌道は、4.175×10-18m÷（9.484×1012）＝4.402×10-31m、です。
それで、1011太陽質量のブラックホールの中心の球体の半径は、
1011太陽質量のブラックホールの中心の球体の半径の陽子の数×陽子のラブの自転軌道＝3.051×1022個×4.402×10-31m＝1.343×10-8m、です。
それで、1011太陽質量のブラックホールは次のようです。
“ブラックホールの全質量が集まる中央の球体”の半径は1.343×10-8mです。
“ブラックホールの中心の場の軌道”は1.303Kmです。この場のAは9.484×1012です。
“ブラックホールの光速の球体”の半径は1.303×109Kmです。
１１．    1010太陽質量のブラックホールの球はどのようになっているか。
・“1010太陽質量のブラックホールの全質量が集まる中央の球体”の半径はいくらか。但し、1010太陽質量の“ブラックホールの中心の場の軌道”を2.805Km とし、この場のAは3×1012です。
1010太陽質量のブラックホールの陽子の数は、1010太陽質量×1太陽質量の陽子の数＝1010×1.189×1057個＝1.189×1067個、です。
・1010太陽質量のブラックホールの中心の球の半径にr個の陽子のラブが存在するとする。
4/3×πr3個=1.189×1067個
r3個=1.189×1067個÷（4/3×π）＝2.840×1066個
ｒ個＝（2.840×1066個）1/3=1.416×1022個
1010太陽質量のブラックホールの中心の球体の半径に1.416×1022個の陽子のラブが存在する。
1010太陽質量のブラックホールの中心の場のAは3×1012です。
1010太陽質量のブラックホールの中心の場の陽子のラブの自転軌道は、4.175×10-18m÷（3×1012）＝1.392×10-30m、です。
それで、1010太陽質量のブラックホールの中心の球体の半径は、
1010太陽質量のブラックホールの中心の球体の半径の陽子の数×陽子のラブの自転軌道＝1.416×1022個×1.392×10-30m＝1.971×10-8m、です。
それで、1010太陽質量のブラックホールは次のようです。
“ブラックホールの全質量が集まる中央の球体”の半径は1.971×10-8mです。
“ブラックホールの中心の場の軌道”は2.085Kmです。この場のAは3×1012です。
“ブラックホールの光速の球体”の半径は2.805×108Km です。
１２．    109太陽質量のブラックホールの球はどのようになっているか。
・“109太陽質量のブラックホールの全質量が集まる中央の球体”の半径はいくらか。但し、109太陽質量の“ブラックホールの中心の場の軌道”を6.042Km  とし、この場のAは9.487×1011です。
109太陽質量のブラックホールの陽子の数は、109太陽質量×1太陽質量の陽子の数＝109×1.189×1057個＝1.189×1066個、です。
・109太陽質量のブラックホールの中心の球体の半径にr個の陽子のラブが存在するとする。
4/3×πr3個=1.189×1066個
r3個=1.189×1066個÷（4/3×π）＝2.840×1065個
ｒ個＝（2.840×1065個）1/3=6.573×1021個
109太陽質量のブラックホールの中心の球体の半径に6.573×1021個の陽子のラブが存在する。
109太陽質量のブラックホールの中心の場のAは9.487×1011です。
109太陽質量のブラックホールの中心の場の陽子のラブの自転軌道は、4.175×10-18m÷（9.487×1011）＝4.401×10-30m、です。
それで、109太陽質量のブラックホールの中心の球体の半径は、
109太陽質量のブラックホールの中心の球体の半径の陽子の数×陽子のラブの自転軌道＝6.573×1021個×4.401×10-30m＝2.893×10-8m、です。
それで、109太陽質量のブラックホールは次のようです。
“ブラックホールの全質量が集まる中央の球体”の半径は2.893×10-8mです。
“ブラックホールの中心の場の軌道”は6.042Kmです。この場のAは9.487×1011です。
“ブラックホールの光速の球体”の半径は6.042×107Km です。
まとめて表に示す。
1011太陽質量のブラックホールの球と1010太陽質量のブラックホールの球と109太陽質量のブラックホールの球体のようす
表１３
2020005400.tif 000016
【産業上の利用可能性】
【０００９】
宇宙を知り、宇宙に係っている素粒子を知る事は産業の発展に役立つ。
【符号の説明】
【００１０】
１    ビッグバンの時の電子のラブのエネルギーは8.665Jで、素粒子の数は4.554×1084個
２     Aは1.439×1019    
３      陽子のラブの自転軌道は2.901×10-37m    
４     半径に1.029×1028個の陽子のラブが存在する    
５     半径＝陽子のラブの自転軌道×陽子のラブの数＝2.901×10-37m×1.0285×1028個＝2.984×10-9m
６      ビッグバンのAは1.439×1019    
７      ビッグバンの痕に2.085×10-6倍のエネルギー体のものが残った    
８      宇宙の中心のブラックホールの中心の塊
９      1010太陽質量のブラックホールの陽子の数は1.189×1067個  
１０    “ブラックホールの中心の場の軌道”は2.085Kmで、この場のAは3×1012
１１    ブラックホールの中心の球体の半径に1.416×1022個の陽子のラブが存在する 
１２    ブラックホールの中心の場の陽子のラブの自転軌道は1.392×10-30m
１３    “ブラックホールの全質量が集まる中央の球体”の半径＝ブラックホールの中心の球体の半径の陽子の数×陽子のラブの自転軌道＝1.416×1022個×1.392×10-30m＝1.971×10-8m 
１４    “ブラックホールの光速の球体”の半径は2.805×108Km
【図１】
2020005400.tif 000031
【図２】
2020005400.tif 000032
【図３】
2020005400.tif 000033